(57)【特許請求の範囲】
【請求項１】
バレルと、銃尾装置と、弾倉と、ハウジング（３）及びストック（５）から成る携帯用武器であって、一体に成型されたプラスチック製のハウジング及びストック（３、５）が、金属製のインサート（１１）を備えており、該インサートが、プレート（１５）から構成される、該弾倉との接続の為のねじ山付き継手（２３）と、該バレルとの接続の為の半円形の継手（１７）と、を備えた前面部（１３）を有することを特徴とする携帯用武器。
【請求項２】
当該金属製のインサート（１１）が、逆Ｕ字型の横断面を有し、当該ハウジング（３）の断面と一致することを特徴とする、請求項１に記載の武器。
【請求項３】
当該インサート（１１）が武器の銃尾のための長手方向のガイド（１９）を備えていることを特徴とする、請求項１に記載の武器。
【請求項４】
当該インサート（１１）が、該インサート（１１）中の上方領域に結合された、銃尾の回転ヘッドを誘導する為の長手方向の部材（２１）を備えていることを特徴とする、請求項３に記載の武器。
【請求項５】
当該長手方向の部材（２１）に穴が開いており、当該ハウジングに適用できるオプションの付属品に対する支持体を構成していることを特徴とする、請求項４に記載の武器。
【請求項６】
当該インサート（１１）が、当該プラスチック材の中に埋め込まれた、二つの折り畳んだフラップによって構成される後肩（２７）を備えていることを特徴とする、請求項１に記載の武器。
【請求項７】
当該ハウジング（３）が、武器の組立中に銃尾のブレースを挿入しやすいように適合してある誘導シート（２５）を備えていることを特徴とする、請求項５に記載の武器。
【請求項８】
当該インサート（１１）は、プラスチック製のハウジングの外側に露出する下側部分（３７）を備えており、武器の通り番号または他の形式の識別文字を永久的に刻印できることを特徴とする、請求項２に記載の武器。
【請求項９】
当該ストック（５）が、後方向の領域に、基板を連結するための係合手段（３９）を備えていることを特徴とする、請求項１に記載の武器。
【請求項１０】
当該ストック（５）は、武器にオプションのストラップまたはブレースを固定するための溝穴（４１）を備えており、前記溝穴は、ストックと単一体を形成していることを特徴とする、請求項１に記載の武器。
【請求項１１】
当該ハウジングの片側に、飾り模様またはラベルを有する取り外し可能な部材を収容するためのシート（４３）を備えていることを特徴とする、請求項１に記載の武器。
【発明の詳細な説明】
【０００１】
【発明の属する技術分野】
本発明は、携帯用武器に関する。特に、本発明は、滑腔砲身を有するライフルやショットガンのような携帯用武器に関する。
【０００２】
【従来の技術】
ショットガンは、通常、スチールまたはＥｒｇａｌ材のような軽合金から成るフレームまたはハウジングを構成する支持構造を含む。
【０００３】
従来の武器において、フレームを製造するのに使用する材料は、技術的見地から、素晴らしい性能を有するが、コストが高いという欠点もある。さらに、従来の方法によって製造したフレームは、それを得るのに必要な機械加工の工程が比較的多いため、製造コストが高くなる。
【０００４】
また、ショットガンのような従来の武器は、例えば、折りたたみ型の、一般的に木製、あるいは、プラスチックや金属製のストックを有する。
【０００５】
この従来の構造の欠点は、やはり、ストックを構成する様々な部品を組立てたり、ストックを武器に取り付ける必要があるということである。
【０００６】
独国特許第１９５１２１７８号公報は、金属製のインサートを備えたプラスチック製のハウジングを有するショットガンを開示している。
【０００７】
米国特許第５，５１３，４６１号公報は、金属製のスリーブを備えた、中空のプラスチック製ハウジングを有する計量自動ライフルを開示している。
【０００８】
米国特許第４，６７４，２１６号公報は、パネルインサートのついたプラスチック製のライフル・ストックを開示している。
【０００９】
仏国特許第８１４．９９９号公報は、携帯用武器用のファイバを基礎としたストックを開示している。
【００１０】
上記のような従来の技術による武器は、ストックとハウジングを製造するのに数多くの製造工程を必要とする。
【００１１】
【発明が解決しようとする課題】
本発明のねらいは、それにより、従来の技術における上記のような問題を解決することができる携帯用武器、特に、滑腔砲身を有するライフルやショットガンを提供することにある。
【００１２】
本発明のさらにもう一つの目的は、製造の観点から見て、安価なショットガンを提供することにある。
【００１３】
本発明のさらにもう一つの目的は、従来の武器製造方法と比較して、実質的に製造工程が少なくてすむショットガンを提供することにある。
【００１４】
【課題を解決するための手段】
このねらいや諸目的および以後明白になるであろう内容は、請求項で述べているような携帯用武器によって、達成することができる。
【００１５】
本発明の他の特性と諸利益については、添付図面に示した非制限的な例のみによって示された、本発明の好ましい、ただし排他的でない実施形態の説明から明白になるであろう。
【００１６】
【発明の実施の形態】
上記の図に関し、全体を参照番号１で表した本発明による携帯用武器は、その本質的な部分がフレームまたはハウジング３、ストック５、バレルおよび円筒状弾倉（図示せず）によって構成されている。
【００１７】
ハウジング３とストック５は、単一体として形成されており、ストック５は、中空で、オプションの付属品を収容でき、例えば孔４５のような内部支持手段に固定することができる。
【００１８】
ストック５は、グリップ領域７によってハウジング３とつながっており、使用者が武器を握り易いようにグリップ７を取り巻く半形方向に膨らんだ部分によって構成されているグリップ手段が設けられている。
【００１９】
ハウジング３は、周知の方法で知られた方法で武器の様々な発砲装置を収容できるように少なくとも部分的に中空になっている。
【００２０】
特に、ハウジング３は、バレル（図示せず）を収容するために前が、そして、銃尾ロックと発射機構（図示せず）を収容するために下方の領域が開放されている。
【００２１】
本発明によると、武器のハウジングは、成型によって製造されており、全体が例えばポリアミドのようなプラスチック製で、ストックは、ハウジングと単一体になっている。
【００２２】
ハウジングの技術的特性、特にその強さと耐久性を改善するために、金属製のインサート１１がハウジング内に設けられている。金属製のインサートは、特別の応力を受けやすいハウジングの選択された領域に、より大きい強度を与えるように適合してある。
【００２３】
インサート１１は、実質的に逆さのＵ字型の形状の横断面を有し、ハウジングの断面に対応する箱型の本体によって構成されている。
【００２４】
インサート１１は、管状弾倉（図示せず）用のねじ山付き継手２３を有するプレート１５と、武器のバレル（図示せず）を収容するための半円形継手１７によって構成された前面部１３を含む。図１１と１２によりわかりやすく示しているように、武器の銃尾ロック（図示せず）のための、長手方向に伸長するガイド１９がインサート１１の内側に設けられている。
【００２５】
インサート１１は、例えば溶接などによって、インサートの上側領域に結合された長手方向の部材２１を含む。その機能は、銃尾ロックの回転ビード（図示せず）を誘導することである。孔を長手方向の部材２１に設けて、例えば、照準装置のような、ハウジングに適用できるオプションの付属品用の支持体を構成することもできる。
【００２６】
インサート１１は、成型中にハウジング３の中に埋め込んであるため、有利に、成型作業中にプラスチック材を充填するのに適した孔２５を有している。
【００２７】
インサート１１は、図５でよりわかりやすく示しているように、二つの折り畳んだフラップによって構成され、プラスチック材に埋め込むのに適した後肩２７を含む。
【００２８】
図４と１３〜２１は、インサート１１がどのようにしてハウジング３を構成しているプラスチック材の中に埋め込まれているかをより詳しく示している。ハウジング３は、エジェクタスプリング（図示せず）用のシート３１と組み合わせたエジェクタシート２９を含み、周知の方法により、異なった長さのカートリッジに適合できるように可動式になっている。また、エジェクタシート２９は、バレルを取り外したときにエジェクタをシートに保持するような形状の保持ピン（図示せず）用シート３３を含む。
【００２９】
図１４は、武器の組立中に銃尾のブレース（図示せず）を挿入しやすいような形状の誘導シート３５の断面図である。
【００３０】
インサート１１の下部３７は、プラスチック製のハウジングの外側に露出するようになっており、武器の通し番号や、法令による規定で指定された他の形式の識別文字が永久的に刻印できるようになっている。
【００３１】
係合手段３９がストック５の下部領域に設けられている。係合手段３９は、ネジまた、ベルトやブレース（図示せず）を固定するために溝穴４１が設けられている。溝穴４１は、有利に、ストックと単一体構造になっているため、ネジや他の外部の固定装置を使用しなくてよい。
【００３２】
ハウジング３の片側には、オプションで飾り模様やラベルを含む、取り外し可能な部材を収容するためのシート４３が設けられている。
【００３３】
実際に、本発明による武器は、ハウジングが成型によって一つの作業で得ることができる携帯用武器を提供するという、意図するところの狙いと目的を達成しているということがわかる。
【００３４】
本発明の一つの利点は、優れた技術的な特性を維持しているにもかかわらず、従来の使用している材料に比較して安価であるということである。
【００３５】
金属製のインサートにより、構造の機械的強度を改善し、その耐久性を高めることができる。
【００３６】
もう一つの利点は、ストックをハウジングと単一体として形成することができ、その結果、製造過程における工程数が減るという点である。
【００３７】
もう一つの利点は、従来のライフルには設けることができず、できたとしてもコストが非常にかかる、複雑な飾り模様を武器上に形成することができるという点である。
【００３８】
本発明による携帯用武器は、多数の変更を加えたり、変化を付けることができ、それらはすべて、本発明の概念の範囲内に含まれ、さらに、詳細部分ははすべて技術的に等しい部品と置き換えることができる。
【００３９】
使用している材料は、寸法と同様に、もちろん、規定や技術的現状に従って、何を利用してもよい。
【００４０】
請求項で述べている技術的特徴に参照番号が付いている場合、それらの参照番号は、単に請求項を理解しやすいようにする為にのみ付したものであり、従って、それら参照番号は、それによって例として識別しているそれぞれの要素の範囲を制限する影響を持たないものとする。
【図面の簡単な説明】
【図１】本発明による携帯用武器の側面図。
【図２】図１の武器の底面図。
【図３】武器の正面図。
【図４】図３の面IV-IVに沿った一部断面図。
【図５】ハウジングの一部および一部断面拡大側面図。
【図６】エジェクタのシートの長手方向の面に沿った一部断面拡大図。
【図７】本発明によるインサートの平面図。
【図８】インサートの側面図。
【図９】図７の面IX-IXに沿った断面図。
【図１０】図８の面X-Xに沿った断面図。
【図１１】図８の面XI-XIに沿った断面図。
【図１２】図８の面XII-XIIに沿った断面図。
【図１３】本発明によるハウジングの長手方向の面に沿った横断面立面図。
【図１４】図１３の面XIV-XIVに沿った断面図。
【図１５】図１３の面XV-XVに沿った断面図。
【図１６】図１３の面XVI-XVIに沿った断面図。
【図１７】図１３の面XVII-XVIIに沿った断面図。
【図１８】図１３の面XVIII-XVIIIに沿った断面図。
【図１９】図１３の面XIX-XIXに沿った断面図。
【図２０】図１３の面XXI-XXIに沿った断面図。
【図２１】図１３の面XXII-XXIIに沿った断面図。
【図２２】図１３の面XXII-XXIIに沿った断面図。
【図２３】図１３の面XXIII-XXIIIに沿った断面図。
【図２４】図１３の面XXIV-XXIVに沿った断面図。
【図２５】図１３の面XXV-XXVに沿った断面図。
【符号の説明】
３  ハウジング
５  ストック
１１  インサート
１３  前面部
１７  カップリング
２１  長手方向の部材
２３  継手
２５  誘導シート
２７  後肩
２９  エジェクタシート
【図１】
0004246820.tif 000002
【図２】
0004246820.tif 000003
【図３】
0004246820.tif 000004
【図４】
0004246820.tif 000005
【図５】
0004246820.tif 000006
【図６】
0004246820.tif 000007
【図７】
0004246820.tif 000008
【図８】
0004246820.tif 000009
【図９】
0004246820.tif 000010
【図１０】
0004246820.tif 000011
【図１１】
0004246820.tif 000012
【図１２】
0004246820.tif 000013
【図１３】
0004246820.tif 000014
【図１４】
0004246820.tif 000015
【図１５】
0004246820.tif 000016
【図１６】
0004246820.tif 000017
【図１７】
0004246820.tif 000018
【図１８】
0004246820.tif 000019
【図１９】
0004246820.tif 000020
【図２０】
0004246820.tif 000021
【図２１】
0004246820.tif 000022
【図２２】
0004246820.tif 000023
【図２３】
0004246820.tif 000024
【図２４】
0004246820.tif 000025
【図２５】
0004246820.tif 000026